【手続補正書】
【提出日】平成24年5月17日(2012.5.17)
【手続補正１】
【補正対象書類名】明細書
【補正対象項目名】００１２
【補正方法】変更
【補正の内容】
【００１２】
請求項１の発明は、遊技盤(4)に発射された遊技球(B)を受入れ可能な球受入口(40)を有し、この球受入口(40)から受入れられた遊技球(B)を振り分けるパチンコ遊技機(1)の振分装置(16)において、前記球受入口(40)に対して遊技球流れ方向の下流側に設けられた第１，第２球振分口(41A,41B)と、前記球受入口(40)を開閉する開閉部材(42)と、前記開閉部材(42)を開閉駆動する開閉駆動機構(43)と、前記球受入口(40)の外部に且つ球受入口(40)の近傍位置に開閉部材(42)と干渉しないように設けられた振分調整釘(10A)であって、この振分調整釘(10A)に当たって球受入口(40)から受入れられた遊技球(B)を第１，第２球振分口(41A,41B)の何れかに択一的に振り分けるとともにその振分率を調整可能な振分調整釘(10A)とを備え、前記振分調整釘(10A)は、前記振分率と共に球受入口(40)への遊技球(B)の入球率を調整可能なものであることを特徴とする。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】変更
【補正の内容】
【００１８】
請求項３の発明は、請求項１又は２の発明において、前記第１，第２球振分口(41A,41B)から夫々延びる第１，第２球誘導通路(46A,46B)を備え、前記第１，第２球誘導通路(46A,46B)で夫々遊技球(B)が誘導されたことで抽選を行う抽選装置(17)であって、遊技球(B)が第１，第２球誘導通路(46A,46B)の一方で誘導された場合に第１，第２球誘導通路(46A,46B)の他方で誘導された場合よりも、遊技者に有利になる抽選結果を導出する可能性が高い抽選装置(17)が付設されたことを特徴とする。
【手続補正７】
【補正対象書類名】明細書
【補正対象項目名】００１９
【補正方法】変更
【補正の内容】
【００１９】
請求項４の発明は、請求項３の発明において、前記抽選装置(17)は、遊技球(B)の入賞により大当り遊技状態を発生させる特定入賞口(60)を有するメカ式抽選装置(17)であり、このメカ式抽選装置(17)に第１，第２球誘導通路(46A,46B)で夫々誘導された遊技球(B) が導入されるとともに、遊技球(B)が第１，第２球誘導通路(46A,46B)の一方から導入された場合に第１，第２球誘導通路(46A,46B)の他方から導入された場合よりも、特定入賞口(60)に入賞する確率が高くなるように構成されたことを特徴とする。
【手続補正８】
【補正対象書類名】明細書
【補正対象項目名】００２０
【補正方法】変更
【補正の内容】
【００２０】
本発明のパチンコ遊技機の振分装置によれば、特に、球受入口の外部に且つ球受入口の近傍位置に開閉部材と干渉しないように振分調整釘を設けて、この振分調整釘に当たって球受入口から受入れられた遊技球を第１，第２球振分口の何れかに択一的に振り分けることができ、その振分率を調整することができ、これにより、遊技性能（例えば、遊技盤への遊技球の発射総数に対して、予想される平均的な大当り遊技状態の発生回数）を調整することができ、故に、遊技性能の調整幅が広がり、また、前記振分率を安定させる（所望の振分率に安定的に設定する）ことができる。
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００５９
【補正方法】変更
【補正の内容】
【００５９】
ここで、振分調整釘１０Ａを第１領域５５内に配置することで、振分調整釘１０Ａと開閉部材４２とが干渉することを防止するとともに、振分調整釘１０Ａに当たって右側へ跳返った遊技球Ｂを、振分調整釘１０Ａと、球受部材４４の上端近傍のセンタ役物１４の枠状部１４ａとの間を通して、直接ステージ部４４ｅに乗せることを可能にする。更に、振分調整釘１０Ａを第２領域５６内に配置することで、第２領域５６外に配置する場合よりも、遊技球Ｂを直接ステージ部４４ｅに乗せる可能性を高くすることができる。
【手続補正１７】
【補正対象書類名】特許請求の範囲
【補正対象項目名】全文
【補正方法】変更
【補正の内容】
【特許請求の範囲】
【請求項１】
遊技盤に発射された遊技球を受入れ可能な球受入口を有し、この球受入口から受入れられた遊技球を振り分けるパチンコ遊技機の振分装置において、
前記球受入口に対して遊技球流れ方向の下流側に設けられた第１，第２球振分口と、
前記球受入口を開閉する開閉部材と、
前記開閉部材を開閉駆動する開閉駆動機構と、
前記球受入口の外部に且つ球受入口の近傍位置に開閉部材と干渉しないように設けられた振分調整釘であって、この振分調整釘に当たって球受入口から受入れられた遊技球を第１，第２球振分口の何れかに択一的に振り分けるとともにその振分率を調整可能な振分調整釘とを備え、
前記振分調整釘は、前記振分率と共に球受入口への遊技球の入球率を調整可能なものであることを特徴とするパチンコ遊技機の振分装置。
【請求項２】
前記開閉部材は、球受入口を開放しているときに遊技球を受止めて第１球振分口に案内する案内機能を有し、
前記振分調整釘に当たって球受入口から受入れられた遊技球を開閉部材に接触させることなく第２球振分口へ誘導可能に構成されたことを特徴とする請求項１に記載のパチンコ遊技機の振分装置。
【請求項３】
前記第１，第２球振分口から夫々延びる第１，第２球誘導通路を備え、
前記第１，第２球誘導通路で夫々遊技球が誘導されたことで抽選を行う抽選装置であって、遊技球が第１，第２球誘導通路の一方で誘導された場合に第１，第２球誘導通路の他方で誘導された場合よりも、遊技者に有利になる抽選結果を導出する可能性が高い抽選装置が付設されたことを特徴とする請求項１又は２に記載のパチンコ遊技機の振分装置。
【請求項４】
前記抽選装置は、遊技球の入賞により大当り遊技状態を発生させる特定入賞口を有するメカ式抽選装置であり、このメカ式抽選装置に第１，第２球誘導通路で夫々誘導された遊技球が導入されるとともに、遊技球が第１，第２球誘導通路の一方から導入された場合に第１，第２球誘導通路の他方から導入された場合よりも、特定入賞口に入賞する確率が高くなるように構成されたことを特徴とする請求項３に記載のパチンコ遊技機の振分装置。